(57)【要約】【課題】アースの必要な部品に対するアース板の接触片の接触圧を高めて接触不良を確実に防止できるアース板の取付構造を提供する。【解決手段】アース板３の本体部３ａを支持体４に固定し、この本体部３ａから片側へ突き出す接触片３ｂをアースの必要な部品１に接触させると共に、この接触片３ｂをアースの必要な部品１に押し付ける方向の回転モーメントが生じるように、本体部３ａから反対側へ突き出す他の接触片３ｃ，３ｄをアース先の部品２に弾接させたアース板の取付構造とする。アース先の部品２に弾接させた接触片３ｃ，３ｄによって生じる上記の回転モーメントで、アースの必要な部品１に対する接触片３ｂの接触圧を高め、接触不良を確実に防止する。【選択図】図１
0003139712.tif 000002
【実用新案登録請求の範囲】
【請求項１】
アース板の本体部を支持体に固定し、この本体部から片側へ突き出す接触片をアースの必要な部品に接触させると共に、この接触片をアースの必要な部品に押し付ける方向の回転モーメントが生じるように、上記本体部から反対側へ突き出す他の接触片をアース先の部品に弾接させたことを特徴とするアース板の取付構造。
【請求項２】
アース板の本体部の幅を部分的に狭小化し、上記回転モーメントを生じ易くしたことを特徴とする請求項１に記載のアース板の取付構造。
【請求項３】
アース板の本体部の幅を狭小化した部分に更に切込みを形成したことを特徴とする請求項２に記載のアース板の取付構造。
【請求項４】
アース板の本体部から反対側へ突き出す他の接触片を複数形成し、それぞれの接触片をアース先の部品の異なる箇所又はアース先の異なる部品に弾接させたことを特徴とする請求項１ないし請求項３のいずれかに記載のアース板の取付構造。
【請求項５】
アース板の本体部から片側へ突き出す接触片に括れ部を形成したことを特徴とする請求項１ないし請求項４のいずれかに記載のアース板の取付構造。
【考案の詳細な説明】
【技術分野】
【０００１】
本考案はアース板の取付構造に関し、特に、アースの必要な部品に対するアース板の接触片の接触圧を高めて接触不良を確実に防止できるように改良したアース板の取付構造に関する。
【背景技術】
【０００２】
アース板の取付構造については従来から種々提案されているが、その一つとして、下記特許文献１に記載の誘電体共振器のアース構造が知られている。この誘電体共振器のアース構造は、金属ケース内に誘電体共振器を収容し、該共振器とケースとの間にアース板を介在させて該共振器の外導体とケースとを電気的に接続してアースすると共に、アース板のアース部を誘電体共振器の集中定数回路素子に接続してアースするようにしたものであって、上記アース板を、上記金属ケースに固定される固定部と、該固定部を挟んだ一方側に形成されて上記誘電体共振器に圧接するアースバネ部と、該固定部を挟んだ他方に形成されて上記集中定数回路素子に当接するアース部とで構成したことを特徴とするものである。
【０００３】
このような誘電体共振器のアース構造では、誘電体共振器を組み込んでも、アース板のアースバネ部の変形によってアース部が動くことはないので、アース部と集中定数回路素子との接触を確実にでき、かつ安定化できるといった効果を得ることができる。
【特許文献１】実公平７−３３４４２号公報
【考案の開示】
【考案が解決しようとする課題】
【０００４】
しかしながら、上記特許文献１のアース構造は、アース板の固定部によって、アースバネ部が伸び変形したときのアース部の移動を防止し、アース部と集中定数回路素子との接触を保つだけのアース構造であって、アースバネ部の変形を積極的に利用してアース部を集中定数回路素子に押し付けることにより、集中定数回路素子に対するアース部の接触圧を高めるものでもなければ、適度の接触圧となるように調節するものでもない。
【０００５】
従って、アースの必要な部品とアース先の部品をアース板を介してアースする場合に、上記特許文献１のアース構造を応用したとしても、アースの必要な部品に対するアース板の接触片の接触圧を高めて接触不良を確実に防止することは不可能であり、また、接触圧を適度に調節することも不可能である。
【０００６】
本考案は上記事情の下になされたもので、その解決しようとする課題は、アースの必要な部品に対するアース板の接触片の接触圧を高めて接触不良を確実に防止できるアース板の取付構造を提供することにある。そして、好ましい実施形態においては、接触圧を適度に調整できるようにすることも課題としている。
【課題を解決するための手段】
【０００７】
上記課題を解決するため、本考案に係るアース板の取付構造は、アース板の本体部を支持体に固定し、この本体部から片側へ突き出す接触片をアースの必要な部品に接触させると共に、この接触片をアースの必要な部品に押し付ける方向の回転モーメントが生じるように、上記本体部から反対側へ突き出す他の接触片をアース先の部品に弾接させたことを特徴とするものである。
【０００８】
本考案のアース板の取付構造においては、アース板の本体部の幅を部分的に狭小化し、上記の回転モーメントを生じ易くすることが好ましく、更に、アース板の本体部の幅を狭小化した部分に切込みを形成することが好ましい。
【０００９】
そして、アース板の本体部から反対側へ突き出す他の接触片を複数形成し、それぞれの接触片をアース先の部品の異なる箇所又はアース先の異なる部品に弾接させることが好ましく、また、アース板の本体部から片側へ突き出す接触片に括れ部を形成することも好ましい。
【考案の効果】
【００１０】
本考案に係るアース板の取付構造のように、アース板の本体部から片側へ突き出す接触片をアースの必要な部品に接触させ、この接触片をアースの必要な部品に押し付ける方向の回転モーメントが生じるように、上記本体部から反対側へ突き出す他の接触片をアース先の部品に弾接させると、生じた回転モーメントによって、本体部から片側へ突き出す接触片がアースの必要な部品に押し付けられ、該部品に対する接触片の接触圧が高められるので、該部品と接触片との接触不良を確実に防止することができる。そして、本体部から反対側へ突き出す他の接触片もアース先の部品に弾接して接触圧が高められているので、アース先の部品と他の接触片との接触不良も確実に防止することができる。
【００１１】
また、アース板の本体部の幅を部分的に狭小化し、上記の回転モーメントを生じ易くしたものは、接触圧を更に高めて接触不良をより確実に防止することができ、更に、アース板の本体部の幅を狭小化した部分に切込みを形成したものは、上記の回転モーメントが一層生じ易くなるので、接触不良防止効果が顕著になる。そして、アース板の本体部から反対側へ突き出す他の接触片を複数形成し、それぞれの接触片をアース先の部品の異なる箇所又はアース先の異なる部品に弾接させたものは、これらの複数の接触片によって上記の回転モーメントが大きくなるので、接触不良防止効果が更に顕著になる。また、アース板の本体部から片側へ突き出す接触片に括れ部を形成したものは、括れ部の大きさを調整することによって、アースの必要な部品に対する該接触片の接触圧を適度にコントロールできる利点がある。
【考案を実施するための最良の形態】
【００１２】
以下、図面を参照して本考案の具体的な実施形態を詳述する。
【００１３】
図１は本考案の一実施形態に係るアース板の取付構造の斜視図、図２は同取付構造に用いるアース板の斜視図、図３は支持体に固定したアース板の本体部の断面図である。
【００１４】
図１の実施形態は、電子機器のフロントパネルの裏側に取付けられたアースの必要なＳＤカードソケット１を、アース先の板金よりなるシャーシ２に、薄い板金製のアース板３を介してアースする場合の、アース板３の取付構造を例示したものであって、ＳＤカードソケット１はプリント基板４に搭載されてホルダー５に保持されている。
【００１５】
このアース板３は、薄い板金を曲げ加工して作製されたものであり、図２に示すように、凸型の本体部３ａと、該本体部３ａの天板部３ｅから片側に突き出す大きい方形の接触片３ｂと、反対側に突き出す細長い帯状の２つの接触片３ｃ，３ｄとで構成されている。
【００１６】
アース板３の凸型の本体部３ａは、図２，図３に示すように、天板部３ｅと、該天板部３ｅの両端から下方に折り曲げられた左右の側板部３ｆ，３ｇと、これらの側板部３ｆ，３ｇから両外側へ水平に折り曲げられた左右の横板部３ｈ，３ｉとを備えたもので、左の横板部３ｈの先端はコ字状に屈曲されてその両端に小さなガイド片３ｊ，３ｊが斜め下向きに形成されており、また、右の横板部３ｉにはビス挿通孔３ｋと位置決め用の垂下片３ｍが形成されている。
【００１７】
このアース板３の本体部３ａは、図３に示すように、左の横板部３ｈのコ字状屈曲端部をプリント基板４の左端部に引っ掛けた状態で、右の横板部３ｉのビス挿通孔３ｋからビス６をプリント基板４にねじ込むことによって、支持体であるプリント基板４に固定されており、アース板３を固定する際に位置決めを行う垂下片３ｍは、プリント基板４に形成されたスリット（図には表れていない）に挿入されている。プリント基板４の左端部に横板部３ｈのコ字状屈曲端部を引っ掛ける作業は、上記のガイド片３ｊ，３ｊによってプリント基板４の左端部をコ字状屈曲端部に案内しながら容易かつスムーズに行うことができる。
【００１８】
アース板３の前記接触片３ｂは、本体部３ａの天板部３ｅの片側から斜め下向きに突き出して、アースの必要なＳＤカードソケット１の上面に接触している。そして、この接触片３ｂをＳＤカードソケット１の上面に押し付ける方向の回転モーメントが生じるように、本体部３ａの天板部３ｅの反対側から略く字状に湾曲して突き出す長い帯状の接触片３ｃと、天板部３ｅの反対側から略Ｌ字状に起立して突き出す短い帯状の接触片３ｄが、アース先のシャーシ２の平板部端縁２ａの下面と側板部２ｂの端面にそれぞれ弾接している。
【００１９】
上記の回転モーメントを生じ易くするため、図２に示すように、アース板本体部３ａの左右の側板部３ｆ，３ｇから左右の横板部３ｈ，３ｉに至る部分には凹部３ｎが形成されており（但し、図２では右の側板部３ｇから右の横板部３ｉに至る部分に形成された凹部３ｎのみが表れている）、この凹部３ｎの形成された部分でアース板本体部３ａの幅が狭小化されている。この回転モーメントを更に生じ易くするためには、図４に示すように、幅を狭小化した横板部３ｈ，３ｉに更に切込み３ｐを入れることが好ましい。また、場合によっては、左右の横板部３ｈ，３ｉの下面に小さな凸部を形成し、アース板本体部３ａをＳＤカードソケット１側に僅かに傾くようにして上記の回転モーメントを生じ易くしてもよい。
【００２０】
上記のアース板の取付構造のように、アース板本体部３ａの天板部３ｅから片側へ突き出す接触片３ｂをアースの必要なＳＤカードソケット１の上面に接触させ、この接触片３ｂをＳＤカードソケット１の上面に押し付ける方向の回転モーメントが生じるように、天板部３ｅから反対側へ突き出す帯状の接触片３ｃ，３ｄをアース先のシャーシ２の２箇所に弾接させると、生じた回転モーメントによって接触片３ｂがＳＤカードソケット１の上面に押し付けられて、ＳＤカードソケット１に対する接触片３ｂの接触圧が高められるため、ＳＤカードソケット１と接触片３ｂとの接触不良を確実に防止することができる。そして、帯状の接触片３ｃ，３ｄもアース先のシャーシ２の２箇所に弾接して接触圧が高められるので、アース先のシャーシ２と接触片３ｃ，３ｄとの接触不良も確実に防止することができる。
【００２１】
特に、アース板本体部３ｅの幅を、左右の側板部３ｆ，３ｇから左右の横板部３ｈ，３ｉに至る部分で狭小化したり、更に、狭小化した部分に切込みｐを入れたものは、上記の回転モーメントが一層生じ易くなるので、ＳＤカードソケット１に対する接触片３ｂの接触圧が更に高められ、接触不良防止効果が顕著になる。
【００２２】
アース先のシャーシ２に弾接させる帯状の接触片は、少なくとも１つ形成されていれば足るが、この実施形態のように２つ形成されていると、上記の回転モーメントが大きくなるので、大きい接触圧が得られることになり、接触不良防止効果が更に顕著になる。尚、アース先の部品に弾接させる接触片は３つ以上でもよく、その場合には、各接触片をアース先の部品の異なる箇所に弾接させてもよいし、異なる部品に弾接させてもよい。
【００２３】
図５は本考案の他の実施形態に係るアース板の取付構造の斜視図である。
【００２４】
このアース板の取付構造は、アースの必要なＳＤカードソケット１に接触させるアース板３の接触片３ｂの付け根部分に、左右一対の括れ部３ｑ，３ｑが形成されている点で、前記実施形態のものと相違している。その他の構成は前記実施形態と同様であるので、図５において同一部品に同一符号を付すにとどめ、重複する説明を省略する。
【００２５】
このようなアース板の取付構造は、前述した作用効果に加えて、例えば、ＳＤカードソケット１に対する接触片３ｂの接触圧が高すぎるような場合に、括れ部３ｑ，３ｑの大きさを調整することによって、接触圧を適度にコントロールできるという作用効果が得られる。
【００２６】
以上、アースの必要な部品としてＳＤカードソケット１を、アース先の部品として板金製のシャーシ２を例にとって、本考案に係るアース板の取付構造を説明したが、本考案はＳＤカードソケット１と板金製のシャーシ２をアース板３を介してアースする場合に限定されるものではなく、アースの必要な全ての部品とアース先の部品をアース板３を介してアースする場合に適用されるものであることは言うまでもない。
【図面の簡単な説明】
【００２７】
【図１】本考案の一実施形態に係るアース板の取付構造の斜視図である。
【図２】同取付構造に用いるアース板の斜視図である。
【図３】支持体に固定したアース板の本体部の断面図である。
【図４】アース板の他の例を示す部分斜視図である。
【図５】本考案の他の実施形態に係るアース板の取付構造の斜視図である。
【符号の説明】
【００２８】
１    ＳＤカードソケット（アースの必要な部品）
２    板金製のシャーシ（アース先の部品）
３    アース板
３ａ  アース板の本体部
３ｂ  アース板本体部から片側に突き出す接触片
３ｃ，３ｄ  アース板本体部から反対側に突き出す接触片
３ｐ  切込み
３ｑ  括れ部
４    プリント基板（支持体）
【図１】
0003139712.tif 000003
【図２】
0003139712.tif 000004
【図３】
0003139712.tif 000005
【図４】
0003139712.tif 000006
【図５】
0003139712.tif 000007